(57)【特許請求の範囲】
【請求項１】
カートリッジの外周の一端に筒先が、他端にフィンガーグリップがそれぞれ設けられ、カートリッジ内には複数のラバーストッパーが互いに前後方向に間隔をあけて嵌入され、後側のラバーストッパーがそれに取り付けられるプランジャーロッドによって前方へ押圧移動される際、前記カートリッジ内の前記ラバーストッパーの間に予め封入されている薬剤が、前記筒先に嵌合される注射針から押し出される容器兼用注射器において、
前記プランジャーロッド本体の中間部にはその軸線に対して所定の突出角をもつように斜め外前方へ延在する弾性を有するスティック状突起がプランジャーロッド本体と一体に形成され、かつ、プランジャーロッド本体の側部には前記スティック状突起が収納される凹溝が形成され、
前記フィンガーグリップの後面には前記スティック状突起の先端が係合する係合部がスティック状突起の先端よりも外方に設けられていることを特徴とする容器兼用注射器。
【請求項２】
請求項１記載の容器兼用注射器において、
前記スティック状突起の先端面には尖鋭部が前方へ突出して設けられ、かつ、プランジャーロッド本体の前記凹溝の前端面には前記尖鋭部に対応する凹部が形成されていることを特徴とする容器兼用注射器。
【請求項３】
請求項１又は２に記載の容器兼用注射器において、
前記フィンガーグリップの後面に形成される前記係合部は後方へ突出する突状であることを特徴とする容器兼用注射器。
【請求項４】
請求項１から３の何れかに記載の容器兼用注射器において、
前記スティック状突起はプランジャーロッドの軸線に対して線対称の位置に一対設けられていることを特徴とする容器兼用注射器。
【発明の詳細な説明】
【０００１】
【産業上の利用分野】
本発明は、特異な形状のプランジャーロッドを有する容器兼用注射器に係わり、詳しくは、カートリッジの外周に一端に筒先が、他端にフィンガーグリップがそれぞれ設けられ、カートリッジ内には複数のラバーストッパーが嵌入され、後側のラバーストッパーをそれに取り付けられるプランジャーロッドによって前方へ押圧移動されて、カートリッジ内のラバーストッパー間に予め封入されている薬剤を流出させる際に、たとえ不用意に外力が加わっても内部の薬剤が注射針から漏出することのなく、後側のラバーストッパーを所定位置に一旦停止させることができる容器兼用注射器に関する。
【０００２】
【従来技術】
容器兼用注射器はその名称の通り、製薬会社からの出荷時には、注射器内に薬剤が既に充填済みで出荷されるが、一般には、使用時の手間を省き、開封後、即座に注射ができるようにするために、予めプランジャーロッドがラバーストッパーに組み込まれて製品化される場合が多い。
【０００３】
しかし、プランジャーロッドを予めセットすると、上述したような使用時の手間が省ける利点が存在すると同時に、流通段階やあるいは開封後注射時までの間に、プランジャーロッドになんらかの衝撃等の外力が加わると、プランジャーロッドはカートリッジ内で筒先方向に移動し、その結果、筒先方向の（前方の）ラバーストッパーを移動させたり、あるいは注射器内に充填されている薬剤を注射針から漏出させてしまうという危険性があった。
【０００４】
このような問題に対処するために、プランジャーロッドを予め取り付けた薬剤充填済みの容器兼用注射器のなかには、プラスチック製のハードケースに収納し、外からの衝撃によるプランジャーロッドの移動を防止するようにしたものもある。
【０００５】
【発明が解決しようとする課題】
しかしながら、このような容器兼用注射器にあっても、以下のような問題点が残されていた。
１）  プランジャーロッドを衝撃等の外力から保護するという目的のために、包装材料（ケース）の材質や形状が制限され、製造コストの合理化が難しい。
２）  注射器を取り出した後、ケースを廃棄物として処理しなければならない。
３）  注射器をケースから取り出すまではプランジャーロッドの不用意な移動を防止できるが、ケースから取り出したりあるいは包装を開封してしまうと、プランジャーロッドに対する防御は解除されてしまうため使用時までの間の不用意な衝撃によるプランジャーロッドの移動を防止することができない。
【０００６】
本発明は、このような従来技術の問題点に鑑みてなされたもので、薬剤を充填した容器兼用注射器が流通段階を含めて実際の使用時に至るまで、万一注射器に衝撃等の外力が加えられても、プランジャーロッドの不用意な移動を防ぎ、充填されている薬剤が注射針から漏出しないようにする容器兼用注射器を提供することを目的とする。
【０００７】
【課題を解決するための手段】
請求項１記載の発明では、カートリッジの外周の一端に筒先が、他端にフィンガーグリップがそれぞれ設けられ、カートリッジ内には複数のラバーストッパーが互いに前後方向に間隔をあけて嵌入され、後側のラバーストッパーがそれに取り付けられるプランジャーロッドによって前方へ押圧移動される際、前記カートリッジ内の前記ラバーストッパーの間に予め封入されている薬剤が、前記筒先に嵌合される注射針から押し出される容器兼用注射器において、前記プランジャーロッド本体の中間部にはその軸線に対して所定の突出角をもつように斜め外前方へ延在する弾性を有するスティック状突起がプランジャーロッド本体と一体に形成され、かつ、プランジャーロッド本体の側部には前記スティック状突起が収納される凹溝が形成され、前記フィンガーグリップの後面には前記スティック状突起の先端が係合する係合部がスティック状突起の先端よりも外方に設けられていることを特徴とする。
【０００８】
請求項２記載の発明では、前記スティック状突起の先端面には尖鋭部が前方へ突出して設けられ、かつ、プランジャーロッド本体の前記凹溝の前端面には前記尖鋭部に対応する凹部が形成されていることを特徴とする。
【００１０】
請求項３記載の発明では、前記フィンガーグリップの後面に形成される前記係合部は後方へ突出する突状であることを特徴とする。
【００１１】
請求項４記載の発明では、前記スティック状突起はプランジャーロッドの軸線に対して線対称の位置に一対設けられていることを特徴とする。
【００１２】
【作用】
本発明によれば、プランジャーロッド本体からスチィック状突起を斜め外前方に突出させてスティック状突起の先端をカートリッジの後端のフィンガーグリップに当接させるようにしているので、たとえ、プランジャーロッドに前方への衝撃等の外力が加えられても、プランジャーロッドが不用意に筒先方向に移動するのを抑さえることができる。
【００１３】
また、注射時には、スティック状突起をそれ自身の弾性を利用して内方へ移動させてプランジャーロッドの側部の凹溝に収納させるようにすれば、スティック状突起のストッパーとしての機能を解除できるので、注射作業にはなんら支障が生じない。
【００１４】
【実施例】
以下、図面を参照して本発明の各実施例について説明する。
〈第１実施例〉
図１および図２は本発明の第１実施例を示すものである。図１において符号１はガラス製のカートリッジ、２はカートリッジ１の外周の一端に設けられた筒先、３はカートリッジの外周の他端に嵌合されたフィンガーグリップ、４，４はカートリッジ１内に前後方向に間隔をあけて嵌入された複数のラバーストッパー、５は後側のラバーストッパー４にねじ等や雌雄嵌合等の適宜固定手段で取り付けられたプランジャーロッド、６はカートリッジ１内であってラバーストッパー４，４の間に封入された薬剤をそれぞれ示す。
【００１５】
前記プランジャーロッド５は、断面十字状のプランジャーロッド本体１１と、該プランジャーロッド本体１１の中間部からその軸線ｍに対して所定の突出角θをもつように斜め外前方へ延在するスティック状突起１２とから構成されるもので、樹脂材による一体成形により作られるものである。特に、スティック状突起１２はそれ自身が適宜弾性を有するもので、自然状態の時には図１または図２に示すように外方へ突出しているものの、その外縁部を押されると内方へ移動してプランジャーロッド本体１１の後述する凹溝１６に嵌まり込み、プランジャーロッド本体１１の外周から突出しないようになっている。なお、スティック状突起１２の弾性変形を容易にするため、スティック状突起１２の基端部に、必要に応じて楔状の切欠（ノッチ）を設けてもよい。
【００１６】
また、本実施例では、プランジャーロッド本体１１として断面十字状のものを用いているが、これに限られることなく、円柱状、４角形状のものを用いてもよく、要は、ステック状突起１２を一体的に取り付けられるものであればよい。
【００１７】
プランジャーロッド本体１１の前部には後側のラバーストッパー４に固定するための固定手段である例えば雄ねじ部が、また、後端にはプランジャーロッド５が前方へ移動させる際に指で押圧される部分である幅広の被押圧部１５が、それぞれプランジャーロッド本体１１と一体に形成されている。また、プランジャーロッド本体１１の側部には、前記スティック状突起１２がその外縁部を押されて内方へ移動される際に、該スティック状突起１２を収納する凹溝１６が形成されている。
【００１８】
前記プランジャーロッド本体１１とスティック状突起１２との両軸線のなす前記突出角θは、プランジャーロッド５が後側のラバーストッパー４に取り付けられてカートリッジ１内に挿入セットされたときに、スティック状突起１２の先端がフィンガーグリップ３の後端面３ａに突き当たるように設定される。
【００１９】
前記プランジャーロッド本体１１とスティック状突起１２との両軸線のなす突出角θは、具体的には、スティック状突起１２とプランジャーロッド本体１１との連結部を起点として、該起点およびフィンガーグリップ３の内縁辺を結ぶ線とプランジャーロッド本体１１の軸線とのなす角度から、前記起点およびフィンガーグリップ３の外縁辺とプランジャーロッド本体１１の軸線とのなす角度までの範囲内に設定される。
なお、スティック状突起１２が不用意にフィンガーグリップ３の後端面３ａ上を滑らないように、あるいはフィンガーグリップ３の後端面３ａの内縁との係止が解かれてスティック状突起１２が内方へ移動して凹溝１６へ嵌まり込まないようにするため、スティック状突起１２が突き当たる部分はフィンガーグリップ３の後端面の内縁より若干外方へずれた位置が好ましい。
【００２０】
次に、上記構成の容器兼用注射器の作用について説明する。
容器兼用注射器を組み立てる例示としては、まず、カートリッジ１に一方のラバーストッパー４をセットした後、カートリッジ１内に薬剤６を充填する。次いで、カートリッジ１の他側から他側のラバーストッパー４を嵌入し、薬剤６を密封状態にする。
【００２１】
後側のラバーストッパー４にプランジャーロッド５を雄ねじ部を利用して取り付ける。次いで、スティック状突起１２の先端がフィンガーグリップ３に当接するまで、プランジャーロッド５をカートリッジ１内に押し込む。その後、カートリッジ１の前端に筒先２を取り付ける。なお、この筒先２の取り付けは、薬剤６が充填される前に予め取り付けられてもよい。
その後、真空包装などで容器兼用注射器を包装する。
以上の段階を経ることによって図１に示す容器兼用注射器を得る。
【００２２】
上記容器兼用注射器によれば、流通段階においてたとえ製品に衝撃などの外力が加わっても、あるいは開封後注射時までの間に誤ってプランジャーロッド５に触れて外力が作用しても、スティック状突起１２の先端がフィンガーグリップ３に当接しているために、プランジャーロッド５の不用意な前方への移動を確実に防止できる。
従って、充填されている薬剤６が筒先２に取り付けられる注射針から不用意に漏出しないことから、薬剤による汚染や注入薬剤の量不足による医療事故を未然に防止できる。
【００２３】
〈第２実施例〉
図３は本発明の第２実施例を示すものである。この実施例では、スティック状突起１２の先端面の内端側に１８０度未満の交角をなす２辺からなる尖鋭部２０が前方へ突出して設けられている。また、プランジャーロッド本体１１の前記凹溝１６の前端面には前記尖鋭部２０に対応する凹部２１が形成されている。
【００２４】
前記尖鋭部２０は図では側面から見て略３角形状に形成しているが、これに限られることなく、半円状あるいは４角形状に形成したものであってもよい。
なお、容器兼用注射器の他の構成要素は前記第１実施例のものと同様であるので同一符号を付すに止まり、その説明は省略する。これについては、以下の実施例においても同様である。
【００２５】
ところで、この種の容器兼用注射器によれば、例えばフィンガーグリップ３の後端面３ａの内端に広範囲に渡り傾斜部２２が形成されている場合が多く、この場合、プランジャーロッド５に前方への外力が加わると、スティック状突起１２の先端がこの傾斜部２２によってプランジャーロッド本体１１の凹溝１６側にずれるような力を受けて傾斜部２２上をスリップし、フィンガーグリップ３との係止が解かれて、スティック状突起１２のストッパーとしての機能が失われるおそれがある。また、注射準備中に不用意にスティック状突起１２を内方へ押すことによって、該スティック状突起１２とフィンガーグリップ３との当接関係が解かれ、これによって前記と同様にスティック状突起１２のストッパー機能が失われるおそれがある。
【００２６】
しかしながら、この実施例の容器兼用注射器では、スティック状突起１２の先端面に尖鋭部２０が設けられているから、スティック状突起１２が内方へ移動するような外力を受けても、図中２点鎖線で示すように、尖鋭部２０が凹溝１６の前端壁の上部１６ａに突き当たって、それ以上のスティック状突起１２の内方への移動を規制する。つまり、スティック状突起の先端は、フィンガーグリップ３とプランジャーロッド本体１１の凹溝の前端壁上部２２とに当接して凹溝１６内へ嵌まり込まず、これによってスティック状突起１２はストッパーとしての機能を維持する。
【００２７】
このように、スティック状突起１２の先端は、フィンガーグリップ３と当接し、同時にプランジャーロッド本体１１の凹溝１６の前端壁上部１６ａによって内方への移動を規制されるので、スティック状突起１２が凹溝１６側へ移動して、フィンガーグリップ３との係止が解かれるということがなく、したがって、フィンガーグリップ３との当接を維持し、それ自身の弾性を生かしてプランジャーロッド５に加わる力を吸収して、プランジャーロッド５の前方への移動を確実に規制することができる。
【００２８】
注射に際して、ストッパー機能を解除するには、手指でスティック状突起１２を内方に強く押す。これによって、スティック状突起１２の尖鋭部２０とプランジャーロッド本体１１の凹溝１６の前端壁上部１６ａとの係止が解かれ、スティック状突起１２は内方へ移動してプランジャーロッド５の凹溝１６内に収納される。このとき、スティック状突起１２の先端の尖鋭部２０は、凹溝１６の前端面に形成された凹部２１に嵌合するため、スティック状突起１２はプランジャーロッド本体１１の凹溝１６内に確実に係止される。
したがって、その後の注射時においてスティック状突起１２が不用意に外方へ移動してカートリッジ１の内面に当接し、両者の間に摩擦を生じさせて、相当大きな力で押し付けないとプランジャーロッド５を前進させることができず、ひいては所望する速度でプランジャーロッド５を押圧移動させることができないといった不具合は生じない。
【００２９】
<第３実施例>
図４は本発明の第３実施例を示すものである。この実施例では、フィンガーグリップ３の後端面に前記スティック状突起１２の先端が係合するリング状の係合部３０が設けられている。そして、この図示例ではリング状の係合部３０は後方へ突出する突状に形成されている。
【００３０】
係合部３０を構成する突状は、スティック状突起１２の先端がフィンガーグリップ３の後端面３ａに沿って外方へずれるときに、スティック状突起１２の先端に係合して該スティック状突起１２の先端の外方への移動を規制できる程度に、その高さが設定されている。また、突状はスティック状突起１２の先端とフィンガーグリップ３とが当接した状態において当接部位よりもフィンガーグリップの外方に位置するように設けられる。
【００３１】
なお、この図示例では、係合部３０として突状を例に挙げて説明しているが、係合部３０はこれに限られることなく逆に凹状であってもよく、要はスティック状突起１２の先端に係合して、その移動を規制できるものであればよい。
また、この実施例では係合部３０をリング状に形成しているが、これに限られることなく、例えば円弧状あるいはストレート形状であってもよい。
【００３２】
しかして、この種の容器兼用注射器によれば、スティック状突起１２の先端がフィンガーグリップ３の後端面３ａに当接した状態で、ブランジャーロッド５に前方への押圧力が加わるときに、スティック状突起１２の先端のフィンガーグリップ３への当接状況によっては、スティック状突起１２の先端がフィンガーグリップ３の外方へのずれるように移動するおそれがある。この場合、プランジャーロッド５のストッパー位置が定まらず、スティック状突起１２のストッパーとしての機能は薄れる。
【００３３】
この実施例の容器兼用注射器では、フィンガーグリップ３の後端面にリング状の係合部３０を設けているから、この係合部３０がスティック状突起１２の先端に係合し、スティック状突起１２の外方への移動を規制する。したがって、スティック状突起１２のストッパーとしての機能が損なわれることがない。
【００３４】
〈第４実施例〉
図５は本発明の第４実施例を示すものである。この実施例では、図３の第２実施例で示したスティック状突起１２が、プランジャーロッド本体１１の図における上下両側であって、プランジャーロッド本体１１の軸線を中心とする線対称の位置に一対設けられている。
これに対応して、プランジャーロッド本体１１にはスティック状突起収納用の凹溝１６が一対設けられている。
【００３５】
しかして、この実施例の容器兼用注射器によれば、スティック状突起１２を線対称の位置に一対設けており、これらスティック状突起１２がフィンガーグリップ３の後端面の図における上下両側に当接し、ストッパー時においてプランジャーロッド５に働く側方（内方）への分力が相殺されることとなるため、バランスの良いストッパー機能が実現できる。
【００３６】
また、注射時前のストッパー機能解除の場合には、拇指と食指とによって挟み込むようにして内方へ押圧することによって、スティック状突起１２をプランジャーロッド５の凹溝１６，１６に容易に係止的に収納させることができる。
【００３７】
なお、上記実施例では、フィンガーグリップ３として図１，図２に示すものを用いているが、これに限られることなく、図４の第３実施例に示すようなスティック状突起１２と係合する係合部３０を備えるフィンガーグリップ３を用いてもよい。
【００３８】
【発明の効果】
請求項１に記載の発明によれば、薬剤を充填した容器兼用注射器が流通段階を含めて実際の使用時に至るまで、万一注射器に外力や衝撃が加えられても、プランジャーロッドの不用意な前方への移動を防ぎ、充填されている薬剤が注射針から漏出しないようにすることができる。この結果、薬剤による汚染や注入薬剤の量不足による医療事故を未然に防止することができる。
また、なんらかの原因でスティック状突起の先端が外方へずれるような力を受ける場合でも、スティック状突起の先端がフィンガーグリップの後面の係合部に係合するため、スティック状突起の先端が外方へずれて移動するのを防止することができ、スティック状突起のストッパー機能を維持することができる。
【００３９】
請求項２記載の発明によれば、なんらかの原因でスティック状突起の先端が内方へずれるような力を受ける場合でも、スティック状突起の先端に設けた尖鋭部がプランジャーロッド本体の凹溝の上壁部に当接し、スティック状突起の先端が内方へずれて移動するのを防止するので、スティック状突起がフィンガーグリップに当接してプランジャーロッドの前方への移動を規制するストッパー機能が損なわれることがない。
また、注射に際して、手指でスティック状突起を内方に強く押してプランジャーロッド本体の凹溝に収納させたときに、スティック状突起の先端の尖鋭部が、凹溝の前端面に形成された凹部に嵌合するため、スティック状突起はプランジャーロッド本体の凹溝に確実に係止され、したがって、注射時にスティック状突起が不用意に外方へ移動してカートリッジの内面に当接して、プランジャーロッドを所望する速度で押圧移動させることができなくなるといった不具合の発生を未然に防止できる。
【００４１】
請求項３に記載の発明によれば、フィンガーグリップの後面に形成される係合部を後方へ突出する突状としているので、たとえスティック状突起の先端が係合部に係合されている場合でも、その後、スティック状突起のストッパー機能を解除する際には単にスティック状突起を内方へ押圧させるだけで足り、係合部を凹状に形成した場合に、スティック状突起と凹状係合部との係合を解除させるために一旦プランジャーロッドを後方へ移動させなければならないのに比べて注射時の作業性がよい。
【００４２】
請求項４に記載の発明によれば、スティック状突起のプランジャーロッドの軸線に対して線対称の位置に一対設けているので、バランスの良いストッパー機能を発揮することができ、ストッパー機能を解除する場合の作業性にも優れる。
【図面の簡単な説明】
【図１】本発明の第１実施例を示す容器兼用注射器の全体側面図である。
【図２】（ａ）は同第１実施例の容器兼用注射器の後部の詳細を示す側面図である。
（ｂ）はプランジャーロッドの中間部を示すもので、図（ａ）におけるＸーＸ線に沿う断面図である。
【図３】本発明の第２実施例を示す容器兼用注射器の要部の側断面図である。
【図４】（ａ）は本発明の第３実施例を示す容器兼用注射器の要部の側断面図である。（ｂ）はフィンガーグリップを示すもので、図（ａ）におけるＹ矢視図である。
【図５】本発明の第４実施例を示す容器兼用注射器の要部の側断面図である。
【符号の説明】
１  カートリッジ
２  筒先
３  フィンガーグリップ
４  ラバーストッパー
５  プランジャーロッド
６  薬剤
１１  プランジャーロッド本体
１２  スティック状突起
１６  凹溝
２０  尖鋭部
２１  凹部
３０  係合部
【図１】
0003558723.tif 000002
【図２】
0003558723.tif 000003
【図３】
0003558723.tif 000004
【図４】
0003558723.tif 000005
【図５】
0003558723.tif 000006